(57)【特許請求の範囲】
【請求項１】
背と座が回転自在かつ前記座が上下に傾倒自在な椅子であって、
当該椅子の脚部は、左右一対の前脚と、左右一対の後脚とをそれぞれ有し、
前記椅子の前面視において、左右一対の脚が他の左右一対の脚の内方に位置し、かつ、
前記椅子の側面視において、前後一対の脚が他の前後一対の脚の内方に位置し、
前記脚部を前後方向に重ね合わせる場合と、前記脚部を左右方向に重ね合わせる場合と、の２方向から、複数の当該椅子を重ね合わせることが可能であることを特徴とする、椅子。
【請求項２】
前記脚部は、前記座の下部から斜め下方へと放射状かつ、前後方向及び左右方向の両方向に関して非対称に延設することを特徴とする、請求項１記載の椅子。
【請求項３】
請求項１又は２に記載の椅子において、前記椅子の前面視における、前記左右一対の脚の傾斜角と、前記他の左右一対の脚の傾斜角とが異なることを特徴とする、椅子。
【請求項４】
請求項１乃至３に記載の椅子において、前記椅子の側面視における、前記前後一対の脚の傾斜角と、前記他の前後一対の脚の傾斜角とが異なることを特徴とする、椅子。
【発明の詳細な説明】
【技術分野】
【０００１】
本発明は、背と座とを有する椅子であって、前記座を上方に跳ね上げた状態で水平方向に重ね合わせる（ネスティング）ことが可能な椅子に関する。
【背景技術】
【０００２】
従来、座を上方に跳ね上げた状態で前後方向にネスティング可能な椅子が知られている。例えば、特許文献１に記載の椅子は、側面視で門形の前後脚を左右にそれぞれ有し、当該左右の脚間に水平な水平杆を架設してなる脚部であって、後脚をさらに上方へと延設して背を取り付けるとともに、座の後端を回動自在に軸支する構成である。そして、当該座の使用時において、座を水平に回動し、当該座の下面を前記水平杆で受ける構成である。
【０００３】
このような椅子においては、脚部材が側面視門形であり、前後方向にのみネスティングが可能なため、複数の椅子を重ね合わせる際には、脚部を前後方向に並べ揃える手間が生じることとなる。また、椅子の脚部が座の左右側面から垂下しているため、脚部の露出が大きく、脚杆に物がぶつかり傷等がつきやすいといった問題があった。さらには、通常のパイプ椅子との外見的な違いが小さいことから、意匠的な斬新さが感じられにくく、特に、使用者にとってネスティング可能な椅子であることが認識しづらいといった問題がある。
【０００４】
これに対して、垂直な支柱の下端より放射状に設けた脚からなるネスティング可能な椅子が開示されている。例えば、特許文献２に示す椅子は、座の下方から垂直に立設された支柱の下端から、放射状に等角度で５本の脚が均等に設けられ、２本の後脚の間に、後方の椅子における３本の前脚のうち中央の前脚を挿入する構成である。
【０００５】
この場合、奇数本の脚を等角度で設けた構成であり、椅子の前後で脚の位置を異ならせしめ、複数の脚の間に１の脚を入り込ませて、前後方向に重ね合わせる構成である。このため、当該構成においては脚同士がぶつかりやすく重ね合わせが難しいといった欠点がある。また、見た目にもネスティングが可能な椅子であることが認識しづらく、さらに、前後方向に重ねた状態であっても、複数の脚部が複雑に絡み合うため、椅子の引き出し方が少しでも横にずれると、脚同士がぶつかってしまい上手く引き離せないといった問題がある。
【０００６】
さらに、特許文献３の構成は、座の下方に立設した垂直な支柱の下端から、放射状に水平方向の脚を有し、かつ前脚と後脚との高さを変えることにより、後方の椅子の前脚を、前方の椅子の後脚の下方に収納する構成である。この場合、支柱の下端から水平方向かつ放射状に設けた脚構成であり、さらには、支柱部分が回転自在なため、前後の椅子を重ねるためには、脚を正位置に戻す必要がある。
【０００７】
また、支柱から放射状に延設する複数の脚における隙間へと他方の椅子の脚を入れ込むため、ネスティングが難しいといった欠点がある。さらには、ネスティングが可能な椅子であることを脚の外観形状で認識しづらく、特に、前後の椅子を重ね合わせた状態で、椅子の脚が少しでも横方向にずれると、椅子を引き出す際に、脚同士がぶつかってしまい、後方の椅子の前脚が、前方の椅子の後脚の下方にはまり込んでしまうため、椅子を引き離すために、後方の椅子を持ち上げる必要があるといった手間を生じていた。
【０００８】
何れにせよ、上記文献においては、前後一方向からのネスティングを想定したものであり、椅子のネスティング時に、ネスティングする前後一方向へと脚部を揃えて並べる必要があった。
【０００９】
【特許文献１】特開２００１−１２８７７６号公報
【特許文献２】特許第３４８２９０１号公報
【特許文献３】特許第３７３０１１９号公報
【発明の概要】
【発明が解決しようとする課題】
【００１０】
本発明は、複数の椅子を水平方向にネスティング可能な椅子において、前後方向のみならず左右方向からもネスティングすることが可能な椅子を提供することを目的とする。さらには、ネスティング時に脚部をネスティング方向に揃える手間を省き、複数の方向からネスティング可能な椅子を提供することを課題とする。
【課題を解決するための手段】
【００１１】
上記課題を解決すべく、本発明の請求項１に記載の発明は、背と座が回転自在かつ前記座が上下に傾倒自在な椅子であって、当該椅子の脚部は、左右一対の前脚と、左右一対の後脚とをそれぞれ有し、前記椅子の前面視において、左右一対の脚が他の左右一対の脚の内方に位置し、かつ、前記椅子の側面視において、前後一対の脚が他の前後一対の脚の内方に位置し、前記脚部を前後方向に重ね合わせる場合と、前記脚部を左右方向に重ね合わせる場合と、の２方向から、複数の当該椅子を重ね合わせることが可能であることを特徴とする、椅子である。
【００１２】
当該構成によれば、前後方向のネスティングは勿論のこと、脚部の側面視において、手前方と奥方との脚部を重ね合わせる左右方向のネスティングも可能であり、複数の椅子を２方向からネスティングすることが可能である。
【００１３】
また、請求項２に記載の発明は、請求項１に記載の椅子において、前記脚部は、前記座の下部から斜め下方へと放射状かつ、前後方向及び左右方向の両方向に関して非対称に延設することを特徴とする。当該構成によれば、脚部の脚が、放射状かつ非対称に延設されることで、複数方向からのネスティングが可能であり、さらには、座を垂直状態に跳ね上げた際にも、脚部が前方へと大きく突出することがなく、高い意匠性および安全性を奏することが可能である。特に、複数の椅子をネスティングした際にも、前脚同士および後脚同士がきれいに整列するため見た目もよく、使用者にとって、前後方向に密に重なり合う椅子の引き離し方向が容易に認識できる効果がある。
【００１４】
また、請求項３に記載の発明は、請求項１又は２に記載の椅子において、前記椅子の前面視における、前記左右一対の脚の傾斜角と、前記他の左右一対の脚の傾斜角とが異なることを特徴とする。当該構成によれば、前脚と後脚との左右方向への傾斜角度を異ならせる簡単な構成により、前記椅子の前面視において、左右一対の脚を他の左右一対の脚の内方または外方に位置せしめ、複数の椅子を前後方向に重ね合わせることが可能である。
【００１５】
また、請求項４に記載の発明は、請求項１乃至３に記載の椅子において、前記椅子の側面視における、前記前後一対の脚の傾斜角と、前記他の前後一対の脚の傾斜角とが異なることを特徴とする。当該構成によれば、椅子の側面視における、手前方の前後脚の左右方向へと傾斜角と、奥方の前後脚の左右方向への傾斜角とを異ならせる簡単な構成により、前記椅子の側面視において、前後一対の脚を他の前後一対の脚の内方または位置せしめ、複数の椅子を左右方向に重ね合わせることが可能である。
【発明を実施するための形態】
【００１６】
本発明の椅子１が好適に用いられる一例としては、図１に示すように、背１０と座３０とを有し、当該背１０と座３０が左右方向に回転可能な椅子１であって、さらに、前記座３０を上下方向に跳ね上げ自在な椅子１である。そして、この椅子１は、後述する、座３０を上方に跳ね上げた状態で、水平方向に重ね合わせる（ネスティング）ことが可能な椅子１であり、特に、前後方向と左右方向との複数の方向から椅子をネスティングすることが可能である。
【００１７】
以下に、本発明の椅子１の構成について詳述する。
まず、本発明の椅子における脚部２０は、図２に示すように、楕円筒形の脚基部２５から斜め下方へと放射状に延設される左右一対の前脚２１，２２と、左右一対の後脚２３，２４との計４本の脚を有し、それぞれの脚２１，２２，２３，２４の下端部分には、脚端具２７を介してキャスター２８が取り付けられる。
【００１８】
これら脚は、後述する、非対称状に形成されており、前面視における、前後何れかの左右一対の脚（２１，２２または２３，２４）が、他の脚（２３，２４または２１，２２）の内方に位置し、左右何れかの前後一対の脚（２１，２３または２２，２４）が、側面視における、他の脚（２２，２４または２１，２３）の内方に位置することで、複数方向からのネスティングが可能である。
【００１９】
前記脚部２０における前記脚基部２５の略中央には、軸孔２６が形成されており、当該軸孔２６に、後述する、背板１１および肘掛け１５と座板３５を支持する水平杆３２が左右方向へと回動自在に軸支される。
【００２０】
当該水平杆３２は、前記脚基部２５の前記軸孔２６へと軸支される支軸３１を有し、さらには、前記水平杆３２の左右より後方に向けて延設する左右杆３３と、当該左右杆３３の端部より立設する板状の取付板３４とを有する。当該取付板３４は、座板３５を上下方向に傾倒自在に軸支するための軸孔３９や前記背板１１および肘掛け１５を取り付けるための複数のねじ孔が形成されている。
【００２１】
そして、後述する、座３０を上下方向に傾倒自在に軸支すべく、前記水平杆３２における左右の取付板３４に形成された軸孔３９へと、前記座板３５の左右後端に形成された軸孔３６をもって上下方向へと回動自在に軸支する構成である。また、座板３５の上面にクッション性を有する座面３７を固定する。
【００２２】
他方、前記水平杆３２の前記取付板３４へと、前記背板１１の下方に延設する板状の取付部１２の凹部１３を係合し、さらに、当該背板１１の取付部１２の外面に形成された凹部１４へと、肘掛け１５の内面に形成された凸部１６を係合し、これら背板１１および肘掛け１５を水平杆３２の取付板３４へとビス等により一体に固定した後、前記肘掛け１５の外面に形成された凹部１７へとカバー部材１８を取り付けることでビス等の部品を覆い隠す構成である。
【００２３】
これにより、図３に示すように、脚部２０の上方において、背板１１および肘掛け１５と座板３５とを、前記水平杆３２とともに左右方向へと回動可能（図中、矢印ａ）である。また、座板３５と背板１１とが向かい合う垂直状態と、座板３５の裏面に設けられた窪みからなる座受け３８が水平杆３２に載置される水平状態との間で、前記座板３５を上下方向に傾倒可能（図中、矢印ｂ）である。
【００２４】
特に、本発明の椅子１は、前記脚部２０が、座３０の下部に位置する脚基部２５より放射状かつ非対称に延設されており、座板３５を垂直状態に起立させることで、図４に示すように、複数の椅子１を前後方向または左右方向に重ね合わせることが可能である。
【００２５】
すなわち、前記脚部２０は、図５に示すように、平面視において、前記脚基部２５から傾斜して直線状の脚２１，２２，２３，２４がそれぞれ非対称に形成されており、かつ、前脚２１，２２は後脚２３，２４の内側に位置し、前後の右脚２２，２４は前後の左脚２１，２３の内側に位置する構成である。
【００２６】
これにより、後述する、脚部２０を前後方向（図中、Ｘ方向）に重ね合わせる場合と、左右方向（図中、Ｙ方向）に重ね合わせる場合との、２方向からのネスティングが可能である。このとき、所定のネスティングの方向へと図示しない背１０および座３０を回転させる必要があることはいうまでもない（図中、点線ａ）。
【００２７】
例えば、本発明の椅子１を前後方向（Ｘ方向）にネスティングする場合、図６（ａ）に示すように、脚部２０の前面視において、脚基部２５に対する前脚２１，２２の傾斜角度αが後脚２３，２４の傾斜角度βより大（α＞β）であって、前脚２１，２２の略下半分が後脚２３，２４の内側に位置（ｘ＜ｘ’）するため、図６（ｂ）に示すように、脚部２０の平面視において、複数の椅子の前脚２１，２２の下半分を、複数の椅子の後脚２３，２４の間に挿入して順次ネスティングすることが可能である。よって、図７に示すように、複数の椅子１を前後方向（Ｘ方向）にネスティングすることが可能である。
【００２８】
他方、図８（ａ）に示すように、脚部２０の側面視において、脚基部２５に対する右脚２２，２４の傾斜角度α’が左脚２１，２３の傾斜角度β’より大（α’＞β’）であって、右脚２２，２４の略下半分が左脚２１，２３の内側に位置（ｙ＜ｙ’）するため、図８（ｂ）に示すように、脚部２０の平面視において、複数の椅子の右脚２２，２４の下半分を、複数の椅子の左脚２１，２３の間に挿入してネスティングすることが可能である。よって、図９に示すように、複数の椅子１を左右方向にネスティングすることが可能である。
【００２９】
このように、本発明の椅子１は、前後方向のみならず左右方向へもネスティングすることが可能である。よって、ネスティング時に脚部をネスティング方向に揃える手間を省き、複数の方向からネスティング可能な使用性の高い椅子を提供することが可能である。
【００３０】
上記例では、前後方向のネスティングにおいて、前方の脚間ｘを後方の脚間ｘ’より小とした例（ｘ＜ｘ’）を示したが、前方の脚間ｘを後方の脚間より大（ｘ＞ｘ’）として、複数の椅子１を前後方向にネスティングする構成であってもよい。同様に、左右方向のネスティングにおいて、上記例では、右方の脚間ｙを左方の脚間ｙ’より小とした例（ｙ＜ｙ’）を示したが、右方の脚間ｙを左方の脚間ｙ’より大（ｙ＞ｙ’）として、複数の椅子を左右方向にネスティングする構成であってもよい。
【００３１】
さらには、前方の脚間ｘと右方の脚間ｙとのそれぞれの距離を等しくし（ｘ＝ｙ）、かつ、後方の脚間ｘ’と左方の脚間ｙ’とのそれぞれの距離を等しくすることで（ｘ’＝ｙ’）、前後方向Ｘと左右方向Ｙとを区別なくネスティングすることが可能である。これにより、ネスティング時に脚部をネスティング方向に揃える手間をさらに省くことが可能であり、複数の方向からネスティング可能な椅子を提供することが可能である。
【００３２】
何れにせよ、本発明の椅子における脚部の脚配置を非対称とし、前記椅子の前面視において、前後何れかの、左右一対の脚が他の左右一対の脚の内方に位置し、かつ、前記椅子の側面視において、左右何れかの、前後一対の脚が他の前後一対の脚の内方に位置することで、脚部同士を複数方向からネスティング可能な構成とすればよく、脚の形状や配置は特に限定されるものではない。
【図面の簡単な説明】
【００３３】
【図１】本発明の椅子を示す斜視図である。
【図２】椅子の分解図である。
【図３】椅子の使用形態の一例を示す斜視図である。
【図４】椅子の使用形態の一例を示す斜視図である。
【図５】脚部を示す平面図である。
【図６】前後方向ネスティング時の脚部を示す（ａ）前面図（ｂ）平面図である。
【図７】前後方向ネスティング時の本発明の椅子を示す図である。
【図８】左右方向ネスティング時の脚部を示す（ａ）前面図（ｂ）平面図である。
【図９】左右方向ネスティング時の本発明の椅子を示す図である。
【符号の説明】
【００３４】
１  椅子
１０  背
１１  背板
１２  取付部
１３  凹部
１４  凹部
１５  肘掛け
１６  凸部
１７  凹部
１８  カバー部材
２０  脚部
２１  前脚（左）
２２  前脚（右）
２３  後脚（左）
２４  後脚（右）
２５  脚基部
２６  軸孔
２７  脚端具
２８  キャスター
３０  座
３１  支軸
３２  水平杆
３３  左右杆
３４  取付板
３５  座板
３６  軸孔
３７  座面
３８  座受け
３９  軸孔
【図１】
0005656600.tif 000002
【図２】
0005656600.tif 000003
【図３】
0005656600.tif 000004
【図４】
0005656600.tif 000005
【図５】
0005656600.tif 000006
【図６】
0005656600.tif 000007
【図７】
0005656600.tif 000008
【図８】
0005656600.tif 000009
【図９】
0005656600.tif 000010